(57)【要約】【課題】振動や衝撃の吸収効果を大幅に向上させることができ、これによって地震の際の不等沈下などに確実に対処できる立孔用配管の側孔と下水道管との配管用継手を提供すること。【解決手段】地中に上下に沿って埋設される立杭用配管２の側面に形成された側孔２１と、地中に埋設される下水道管３の開口３１とを接続する配管用継手１は、下水道管３の開口３１が接続される筒状の継手本体１１と、この継手本体１１の外周に設けられて側孔２１に挿入固定される筒状部材１２とを備え、筒状部材１２は、継手本体１１の外周に一端側が重ねられる筒状のカラー１２１と、このカラー１２１の他端側の内周面に配設されて継手本体１１の環状の端面１１Ｂと対向する筒状の弾性体１２２とを有する。筒状部材１２の内周側にゴム部材１２２が露出するため、ゴム部材１２２が任意の方向に変形可能であり、耐震性に優れる。【選択図】図２
2006169781.tif 000002
【特許請求の範囲】
【請求項１】
地中に上下に沿って埋設される立杭用配管の側面に形成された側孔と、地中に埋設される下水道管の開口とを接続する配管用継手であって、
前記下水道管の開口が接続される筒状の継手本体と、この継手本体の外周に設けられて前記側孔に挿入固定される筒状部材とを備え、
前記筒状部材は、前記継手本体の外周に一端側が重ねられる筒状のカラーと、このカラーの他端側の内周面に配設されて前記継手本体の環状の端面と対向する筒状の弾性体とを有する
ことを特徴とする配管用継手。
【請求項２】
請求項１に記載の配管用継手において、
前記継手本体と前記カラーの一端側との間には、弾性を有する複数の環状部材が互いの間隔をおいて圧縮した状態で設けられる
ことを特徴とする配管用継手。
【請求項３】
請求項２に記載の配管用継手において、
前記複数の環状部材のいずれかは、前記継手本体の外周面に沿って配置される本体と、この本体から前記カラーの内周面に向かって突出する畝部とを有し、残りの環状部材は、前記カラーの内周面に沿って配置される本体と、この本体から前記継手本体の外周面に向かって突出する畝部とを有する
ことを特徴とする配管用継手。
【請求項４】
請求項３に記載の配管用継手において、
前記カラーは、その軸方向に沿って当該継手本体の外周に嵌め込まれ、
前記カラーに前記環状部材が設けられる位置は、前記継手本体に嵌め込まれる側の端部であり、
前記継手本体に環状部材が設けられる位置は、前記カラーが嵌め込まれる側の端部である
ことを特徴とする配管用継手。
【請求項５】
請求項１から請求項４のいずれかに記載の配管用継手において、
前記弾性体は、発泡性のゴム材料により形成される
ことを特徴とする配管用継手。
【発明の詳細な説明】
【技術分野】
【０００１】
本発明は、マンホールなどの立杭用配管の側孔に下水道管を接続する配管用継手に関する。
【背景技術】
【０００２】
従来、マンホールなどの立杭用配管の側面には側孔が形成され、この側孔に下水道管を接続する際には、弾性体を有する配管用継手が使用されている。すなわち、弾性体によって地震時の不等沈下による振動や衝撃を吸収・緩衝し、下水道管とマンホールとの接続部分の損傷を防止する構成となっている。このような配管用継手の構成として、継手本体の外周に弾性体を介装させてカラーを重ね、マンホールの孔にカラーを挿入固定するものがある（特許文献１参照）。この特許文献１における弾性体は、継手本体とカラーとの間に充填されるエポキシ樹脂やウレタン樹脂、あるいは継手本体とカラーとの間に介装されるゴム製のリング（同文献の図４、ゴムリング２３を参照）である。また、ゴム製のリングが使用される場合は、継手本体にカラーが重ねられた部分の両端が目づめ材により塞がれている。このような構成により、マンホールと下水道管との接続部分で、下水道管の軸方向と交差するせん断方向に局部的に作用する力が緩和されている。
【０００３】
【特許文献１】特開平１０−６１８４５号公報（図１、図２）
【発明の開示】
【発明が解決しようとする課題】
【０００４】
しかしながら、特許文献１のような構成では、マンホールと下水道管との接続位置に継手本体とカラーとが二重に配置され、これらの継手本体とカラーとでゴムリングが挟まれている。このため、マンホールの側壁に対して下水道管を曲げる方向に力が作用した際に、ゴムリングの撓みに継手本体およびカラーの一方が抵抗し、振動が十分吸収されないおそれがある。
また、継手本体にカラーが重ねられた部分の全体にわたって弾性材が充填され、あるいはこの重なり部分の一端から他端までゴムリングが並んで配置されているので、弾性体の圧縮によりカラーと継手本体とが互いに固着され、下水道管の軸方向に作用する振動の吸収が不十分となる場合がある。
したがって、地震などであらゆる方向に生じ得る揺れに対して万全とは言えず、下水道管ないし配管用継手がマンホールの側孔から離脱したり、マンホールと下水道管との接続部分が損傷したりするおそれがあった。
【０００５】
このような問題に鑑みて、本発明の目的は、振動や衝撃の吸収効果を大幅に向上させることができ、これによって地震の際の不等沈下などに確実に対処できる立杭用配管の側孔と下水道管との配管用継手を提供することにある。
【課題を解決するための手段】
【０００６】
本発明の配管用継手は、地中に上下に沿って埋設される立杭用配管の側面に形成された側孔と、地中に埋設される下水道管の開口とを接続する配管用継手であって、前記下水道管の開口が接続される筒状の継手本体と、この継手本体の外周に設けられて前記側孔に挿入固定される筒状部材とを備え、前記筒状部材は、前記継手本体の外周に一端側が重ねられる筒状のカラーと、このカラーの他端側の内周面に配設されて前記継手本体の環状の端面と対向する筒状の弾性体とを有することを特徴とする。
【０００７】
この発明によれば、筒状部材が立杭用配管の側孔に挿入される位置では、カラーと弾性体のみが配置され、継手本体は配置されていない。すなわち、筒状部材の内周側に弾性体が露出するため、弾性体が任意の方向に変形可能であって、弾性体による振動および衝撃の吸収・緩衝効果が大幅に向上されている。それでいて、弾性体はカラーの内周面に保持されるので、変形しすぎることもない。これにより、立杭用配管の側壁に対して下水道管の軸方向と交差するせん断方向に生じる変位が緩和され、また、立杭用配管の側壁に対して下水道管を曲げる方向における変位をも緩和される。
加えて、継手本体にカラーが重ねられ、継手本体と弾性体とが略同心に配置されている。これにより、弾性体の変形に応じたカラーおよび継手本体の相対的な変位が許容されるので、主に下水道管や配管用継手の軸方向における圧縮力や引張力にも有効に対応できる。
このように、振動および衝撃の吸収効果が大幅に向上されたことから、地震による振動、衝撃、および不等沈下（地盤変動）に際して、立杭用配管と下水道管ないし配管用継手との接続部分での損傷、および離脱をより確実に回避できる。また、立杭用配管や下水道管の施工時に生じ得る接続部分への負荷を大幅に緩和できる。
【０００８】
なお、カラーの材質としては、軽量で強固、耐食性にも優れるＦＲＰM（強化プラスチック複合材）を採用することが好ましい。
そして、カラーは厚肉であることが好ましい。これにより、振動や衝撃をより効果的に吸収できる。また、立杭用配管の側孔に通常設けられる補強用コンクリートと厚肉のカラーとが互いに補強される。
また、本発明の配管用継手の構造は、弾性体が配設された筒状部材と継手本体とを組み合わせた簡単なもので、これらの筒状部材と継手本体との合体も、継手本体が弾性体に近接対向するまで筒状部材を継手本体外周に嵌め込めばよいため、その作業が容易である。これらの筒状部材と継手本体との合体は、通常は下水道管の施工現場で行われ、容易に作業できる。
【０００９】
本発明の配管用継手では、前記継手本体と前記カラーの一端側との間には、弾性を有する複数の環状部材が互いの間隔をおいて圧縮した状態で設けられることが好ましい。
ここで、環状部材としては、ゴム製などのリングを用いることができる。
【００１０】
この発明によれば、環状部材により、継手本体とカラーとの間を塞いで水密状態にできる。環状部材は複数設けられ、また、間隔をおいて設けられることから水密性が確保され、下水道管や立杭用配管内部の水分を確実に止水できる。
また、このように環状部材が複数、間隔をおいて設けられるので、環状部材を介したカラーと継手本体との取り付けが安定する。これにより、地震時や施工時において、継手本体のカラーからの離脱や脱落が効果的に防止される。そのうえ、カラーと継手本体とが互いに安定的に保持されることから、カラーと継手本体との相対的な軸移動の方向性が定まり、当該軸の方向における振動や衝撃（横揺れ）をより効果的に吸収できる。
なお、環状部材の数は問わないが、例えば、継手本体とカラーとが重なる部分の両端、およびこれら両端の間のほぼ真中に、合計３つ設けることができる。
【００１１】
本発明の配管用継手では、前記複数の環状部材のいずれかは、前記継手本体の外周面に沿って配置される本体と、この本体から前記カラーの内周面に向かって突出する畝部とを有し、残りの環状部材は、前記カラーの内周面に沿って配置される本体と、この本体から前記継手本体の外周面に向かって突出する畝部とを有することが好ましい。
【００１２】
この発明によれば、環状部材の本体から畝部が突出する向きが継手本体に設けられた環状部材とカラーに設けられた環状部材とでは逆であり、畝部の弾力が当該継手本体とカラーとの間で双方向に組み合わさるので、カラーと継手本体との取り付けが一層安定的となる。よって、継手本体のカラーからの離脱、脱落が確実に防止される。また、畝部の部分の撓みによって水密性が向上する。
【００１３】
本発明の配管用継手では、前記カラーは、その軸方向に沿って当該継手本体の外周に嵌め込まれ、前記カラーに前記環状部材が設けられる位置は、前記継手本体に嵌め込まれる側の端部であり、前記継手本体に環状部材が設けられる位置は、前記カラーが嵌め込まれる側の端部であることが好ましい。
【００１４】
この発明によれば、カラーの継手本体外周への嵌め込み方向において、継手本体の先端部、およびカラーの先端部に環状部材がそれぞれ設けられている。これにより、継手本体とカラーとの重なり部分の位置決めを必要とすることなく、環状部材が常にカラーと継手本体との重なり部分の両端部に配置される。すなわち、下水道管と立杭用配管の側孔との接続距離や継手本体およびカラーの寸法に多少の誤差が生じても施工に影響がないため、作業性が非常に良くなる。
また、環状部材がカラーと継手本体との重なり部分の両端部に配置されるから、当該両端部におけるカラーと継手本体との間の目づめも不要にできる。
【００１５】
本発明の配管用継手では、前記弾性体は、発泡性のゴム材料により形成されることが好ましい。
【００１６】
この発明によれば、発泡性のゴム材料の使用により、弾性体と継手本体とが対向する部分に段差が生じるのが防止され、配管用継手の内周面を滑らかな状態にできる。これにより、弾性体と継手本体とが対向する部分で流体が滞留するなどの不都合が生じにくい。すなわち、低勾配での敷設や、下水道管および継手の小径化が可能となる。
【発明を実施するための最良の形態】
【００１７】
以下、本発明の実施形態を図面に基づいて説明する。
図１は、本実施形態における配管用継手としての継手１の使用状態を示す図である。
継手１は、地中に立設されたマンホール（立杭用配管）２の側面に形成された側孔２１と、地中に埋設された下水道管３とを接続している。
図２は、継手１の一部を切り欠いてマンホール２の開口側から見た断面図である。また、図３は、図２におけるIII−III線断面図である。
継手１は、筒状の継手本体１１と、この継手本体１１の外周に嵌められる筒状部材１２とを備える。
【００１８】
継手本体１１は、合成樹脂製のパイプ部材であって、下水道管３の開口３１に接続される。本実施形態では、継手本体１１の長さが１２５０ｍｍである。
また、継手本体１１の下水道管３と接続される側の端部には、接続器具としてリング状のカップリング１３が設けられ、このカップリング１３により下水道管３の受口が構成されている。
【００１９】
筒状部材１２は、継手本体１１のカップリング１３が設けられた側とは反対側に外嵌めされ、側孔２１に挿入固定される。なお、筒状部材１２の側孔２１に挿入される部分は、施工時にマンホール２の側壁２２の円筒Ｒ形状に応じて切除される。
この筒状部材１２は、継手本体１１に外嵌めされた状態において一端側が継手本体１１の外周に重なるカラー１２１と、このカラー１２１の他端側の内周面に沿って配設されるゴム部材（弾性体）１２２との二体構成である。筒状部材１２が継手本体１１に外嵌めされると、カラー１２１内部のゴム部材１２２には、継手本体１１の環状の端面１１Ｂが近接対向する。
【００２０】
カラー１２１は、ＦＲＰＭ管を適当な長さにカットして形成され、本実施形態では、内径が１８００ｍｍ、肉厚は６６ｍｍである。カラー１２１の長さは、マンホール２の側面形状に応じて切除される寸法によって変わるが、本実施形態では、１６３０ｍｍとする。
カラー１２１の外周面に沿って、側孔２１に挿入される側の一帯は、図２において格子模様で示した砂付け部１２１Ａであり、この砂付け部１２１Ａは、カラー１２１の端縁から軸方向に９００ｍｍの幅で設けられ、砂状のモルタルが付着されたものとされる。
ゴム部材１２２は、３０倍発泡のポリエチレン系のゴム材料により形成されたもので、カラー１２１の継手本体１１と重ねられた側とは反対側の端縁から幅８８０ｍｍにわたって配設される。すなわち、カラー１２１およびゴム部材１２２の一端側は揃い、ゴム部材１２２は、カラー１２１の内周面の途中まで配設される。
【００２１】
なお、筒状部材１２が挿入固定されるマンホール２の口径が２２００ｍｍのとき、カラー１２１は、施工時に軸方向の寸法で５８０ｍｍ切除され、残りの長さが１０５０ｍｍとなる。図２における一点鎖線は、この場合の切断線を示す。すなわち、切除されて残ったカラー１２１は切除された部分よりも長い。
また、図２における二点鎖線は、マンホール２の口径が２６００ｍｍのときの切断線を示し、この場合も、切除されて残ったカラー１２１は切除された部分よりも長い。
【００２２】
ところで、上述の継手本体１１の外周面に沿って、ゴム製の環状部材（ゴムリング）１１５，１１６が設けられ、カラー１２１の内周面にも、同様に環状部材１２５が設けられる。すなわち、継手本体１１外周にカラー１２１の一端側が重ねられた状態において、継手本体１１とカラー１２１との間を環状部材１１５，１１６，１２５が圧縮した状態で介在する。
【００２３】
図４（Ａ）は、カラー１２１に固定された環状部材１２５の断面図であり、図４（Ｂ）は、継手本体１１に固定された環状部材１１５，１１６の断面図である。
これらの環状部材１１５，１１６，１２５の本体の内径側には、周に沿って３段の畝部ＲＢが形成される。これらの畝部ＲＢは、環状部材１１５，１１６，１２５の本体の内周面から当該環状部材１１５，１１６，１２５の径方向を含む面に対して片側に斜めに突出する。
【００２４】
図４（Ａ）、（Ｂ）において、環状部材１１５，１１６，１２５の向きは、図２における場合と同様である。
これらの環状部材１１５，１１６，１２５はいずれも同じ形状であるが、カラー１２１に設けられるものと継手本体１１に設けられるものとでは、反対向きに配置される。
すなわち、環状部材１２５は、畝部ＲＢの向きが下水道管３側に向かって斜めに倒れるように、カラー１２１の下水道管３側の端部１２１Ｂに設けられる。
一方、環状部材１１５，１１６は、畝部ＲＢの向きがマンホール２側に向かって斜めに倒れるように、ゴム部材１２２に対向する側の端部１１Ａと、この端部１１Ａから間をおいた部位１１Ｃにそれぞれ設けられる。すなわち、カラー１２１と継手本体１１との間に環状部材１１５，１１６，１２５が互いに間隔をおいて並ぶ。
【００２５】
以上説明した継手１の施工について簡単に説明する。
まず、カラー１２１の内周面にゴム部材１２２を配設し、筒状部材１２を製作する。そして、この筒状部材１２と、継手本体とをセットで施工現場に持ち込む。
施工現場では、準備作業として、マンホール２の円筒側面Ｒ形状に応じて、筒状部材１２の一端側を切除する。
そして、地中に埋設された下水道管３の開口３１に継手本体１１のカップリング１３を接続する。すると、継手本体１１の端部１１Ａがマンホール２に向いた状態となる。
続いて、マンホール２の内側から、ゴム部材１２２が設けられた側を手前側にして筒状部材１２を側孔２１に挿入する。なお、側孔２１は筒状部材１２の口径よりもひと回り大径であり、この側孔２１部分にコンクリートが配設されることにより、筒状部材１２と側孔２１部分とが補強される。この際、砂付け部１２１Ａにより、補強用コンクリートとカラー１２１とのなじみが良い。
【００２６】
筒状部材１２を側孔２１に挿入する際、カラー１２１が軸方向に沿って継手本体の外周に嵌め込まれる。この嵌め込みの際、カラー１２１の端部１２１Ｂが継手本体１１の端部１１Ａに臨み、この端部１２１Ｂを先端として、カラー１２１と継手本体１１とが徐々に重なる。ここで、端部１２１Ｂに配置された環状部材１２５の畝部ＲＢは、継手本体１１外周面との摩擦により立ち上がり、そのうえ、カラー１２１と継手本体１１との間で圧縮される。また、継手本体１１の端部１１Ａに設けられた環状部材１１５についても、同様に、畝部ＲＢが立ち上がり、そしてカラー１２１と継手本体１１との間で圧縮される。したがって、カラー１２１と継手本体１１との間が高度な水密状態となる。
【００２７】
カラー１２１を継手本体１１の外周に沿ってさらに嵌め込むと、継手本体１１の端部１１Ａの端面１１Ｂがカラー１２１内部のゴム部材１２２の端面１２２Ｂに突き当てられ、継手本体１１の内周面とゴム部材１２２の内周面とが略面一となる。
ここで、継手本体１１やカラー１２１の長さのばらつきにより、継手本体１１の端部１１Ａとゴム部材１２２との間があくことがあるが、位置決めは特に不要であり、環状部材１１５，１２５は常にカラー１２１と継手本体１１との重なり部分の両端部に配置される。
そして、筒状部材１２の切除部分をマンホール２の側孔２１に固定することにより、マンホール２の側孔２１と下水道管３とが接続され、継手１の周囲を土砂で埋めて施工が完了する。
【００２８】
なお、継手１の施工手順は上記に限らず、先にマンホール２の側孔２１に挿入固定された筒状部材１２の内部に継手本体１１を差し込み、次いでカップリング１３により継手本体１１と下水道管３とを接続することも考えられる。
【００２９】
このような本実施形態によれば、次のような作用効果がある。
（１）筒状部材１２がマンホール２の側孔２１に挿入される位置では、カラー１２１とゴム部材１２２のみが配置され、継手本体１１は配置されていない。すなわち、筒状部材１２の内周側にゴム部材１２２が露出するため、ゴム部材１２２が任意の方向に変形可能であって、ゴム部材１２２による振動および衝撃の吸収・緩衝効果が大幅に向上されている。それでいて、ゴム部材１２２はカラー１２１の内周面に保持されるので、変形しすぎることもない。これにより、マンホール２の側壁に対して下水道管３の軸方向と交差するせん断方向に生じる変位が緩和され、また、マンホール２の側壁に対して下水道管３を曲げる方向における変位をも緩和される。すなわち、継手１における許容曲げ角度を大きくできる。
【００３０】
加えて、継手本体１１にカラー１２１が重ねられ、継手本体１１とゴム部材１２２とが略同心に配置されている。これにより、ゴム部材１２２の変形に応じたカラー１２１および継手本体１１の相対的な変位が許容されるので、主に下水道管３や継手の軸方向における圧縮力や引張力にも有効に対応できる。
このように、振動および衝撃の吸収効果が大幅に向上されたことから、地震による振動、衝撃、および不等沈下に際して、マンホール２と下水道管３ないし継手との接続部分での損傷、および離脱をより確実に回避できる。また、マンホール２や下水道管３の施工時に生じ得る接続部分への負荷を大幅に緩和できる。
【００３１】
（２）また、継手１の構造は、ゴム部材１２２が配設された筒状部材１２と継手本体１１とを組み合わせた簡単なもので、これらの筒状部材１２と継手本体１１との合体も、継手本体１１がゴム部材１２２に突き当たる、ないし近接対向するまで筒状部材１２を継手本体１１外周に嵌め込めばよいため、容易である。これらの筒状部材１２と継手本体１１との合体は通常、下水道管３の施工現場で行われるが、筒状部材１２と継手本体１１とを予め合体させた状態で側孔２１と下水道管３とを接続することも可能である。
【００３２】
（３）環状部材１１５，１１６，１２５により、継手本体１１とカラー１２１との間を塞いで水密状態にできる。また、環状部材１１５，１１６，１２５は簡単な形状でありながら、これらの環状部材１１５，１１６，１２５が複数あり、また、間隔をおいて設けられることから水密性が確保され、下水道管３やマンホール２内部の水分を確実に止水できる。
【００３３】
（４）また、このように環状部材１１５，１１６，１２５が複数、間隔をおいて設けられるので、環状部材１１５，１１６，１２５を介したカラー１２１と継手本体１１との取り付けが安定する。これにより、地震時や施工時において、継手本体１１のカラー１２１からの離脱や脱落が効果的に防止される。そのうえ、カラー１２１と継手本体１１とが互いに安定的に保持されることから、カラー１２１と継手本体１１との相対的な軸移動の方向性が定まり、当該軸の方向における振動や衝撃（横揺れ）をより効果的に吸収できる。
【００３４】
（５）環状部材１１５，１１６，１２５の本体から畝部ＲＢが突出する向きが継手本体１１に設けられた環状部材１１５，１１６とカラー１２１に設けられた環状部材１２５とでは逆であり、畝部ＲＢの弾力が当該継手本体１１とカラー１２１との間で双方向に組み合わさる。これにより、カラー１２１と継手本体１１との取り付けが一層安定的となり、継手本体１１のカラー１２１からの離脱、脱落が確実に防止される。また、畝部ＲＢの部分の撓みによって水密性が向上する。
【００３５】
（６）カラー１２１の継手本体１１外周への嵌め込み方向において、継手本体１１の先端部、およびカラー１２１の先端部に環状部材１１５，１２５がそれぞれ設けられている。これにより、継手本体１１とカラー１２１との重なり部分の位置決めを必要とすることなく、環状部材１１５，１２５が常にカラー１２１と継手本体１１との重なり部分の両端部に配置される。すなわち、下水道管３とマンホール２の側孔２１との接続距離や継手本体１１およびカラー１２１の寸法に多少の誤差が生じても施工に影響がないため、作業性が非常に良くなる。
【００３６】
（７）発泡性のゴム部材１２２の使用により、ゴム部材１２２と継手本体１１とが対向する部分に段差が生じるのが防止され、継手１の内周面を滑らかな状態にできる。これにより、ゴム部材１２２と継手本体１１とが対向する部分で流体が滞留するなどの不都合が生じない。すなわち、低勾配での敷設や口径減少も可能となる。
【００３７】
（８）筒状部材１２の軸方向における長さ寸法が比較的大きく、マンホール２側壁の形状に合わせて筒状部材１２を切除した後における筒状部材１２の長さを確保できるので、筒状部材１２の軸方向における振動や衝撃の吸収効果を担保できる。
【００３８】
（９）カラー１２１が比較的厚肉であることにより、振動や衝撃をより効果的に吸収できる。
【００３９】
本発明を実施するための最良の構成、方法などは、以上の記載で開示されているが、本発明は、これに限定されるものではない。すなわち、本発明は、主に特定の実施形態に関して特に図示され、かつ、説明されているが、本発明の技術的思想および目的の範囲から逸脱することなく、以上述べた実施形態に対し、形状、材質、数量、その他の詳細な構成において、当業者が様々な変形を加えることができるものである。
したがって、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【００４０】
前記実施形態で示した継手本体１１やカラー１２１、ゴム部材１２２の径、長さ、肉厚などの寸法、あるいはマンホール２の側壁形状に応じて切除する寸法などの数値は一例であって、これらの寸法は現場に応じて決められることは勿論である。
【００４１】
また、前記実施形態では、カップリング１３が設けられ、これにより下水道管３の受口が形成されていたが、このカップリング１３を外し、継手本体１１の端部を下水道管への差口として構成しても良い。また、カップリング１３の代わりに、下水道管の開口に設けられた固定具によって継手本体と下水道管とが接続固定されてもよい。
【００４２】
さらに、立杭用配管の口径の大きさは限定されない。すなわち、マンホールのように口径が大きく、作業員が管内に降りることが可能な立杭用配管に限らず、それよりも口径が小さい配管に本発明の配管用継手を使用してもよい。
【００４３】
また、環状部材は、継手本体またはカラーに予め設けられていなくてもよい。例えば、立杭用配管と下水道管とを繋ぐ施工時に継手本体とカラーとを重ねていく過程で、環状部材を継手本体とカラーとの間に圧入しても構わない。
【００４４】
弾性体がカラー内周に配設される態様は特に限定されない。例えば、板状のゴム部材を断面円弧状に曲げた状態でカラーの内周面に並設することができる。
【産業上の利用可能性】
【００４５】
本発明は、マンホールなどの立杭用配管の側面に形成された側孔と下水道管とを接続する配管用継手として使用できるほか、その他の配管と配管とを繋ぐ継手としても広く利用することができる。
【図面の簡単な説明】
【００４６】
【図１】本発明の実施形態における継手の使用状態を示す図。
【図２】前記実施形態における継手の一部を切り欠いた断面図。
【図３】図２におけるIII−III線断面図。
【図４】前記実施形態における継手に使用されるゴム製の環状部材の断面形状を示す図。
【符号の説明】
【００４７】
１        継手（配管用継手）
２        マンホール（立杭用配管）
３        下水道管
１１      継手本体
１１Ａ    端部
１１Ｂ    端面
１２      筒状部材
２１      側孔
２２      側壁
３１      開口
１１５，１１６，１２５        環状部材
１２１    カラー
１２１Ｂ  端部
１２２    ゴム部材（弾性体）
ＲＢ      畝部
【図１】
2006169781.tif 000003
【図２】
2006169781.tif 000004
【図３】
2006169781.tif 000005
【図４】
2006169781.tif 000006